(57)【要約】      （修正有）【課題】発注毎に加工条件が異なることなく、加工済みサッシの管理も容易な防犯センサ付きサッシの発注・受注・納品システムを提供する。【解決手段】サッシメーカと防犯センサメーカに、サッシに関する情報と防犯センサに関する情報を対応付けしたテーブルを格納した共通のデータベースを備え、ゼネコンに、サッシの種類を指定してサッシ発注情報をサッシメーカに送信する手段を設け、防犯センサの種類を指定してサッシ施工発注情報を施工会社に送信する手段を設け、サッシメーカに、受信したサッシ発注情報を基にデータベースからサッシに関する情報を取得し、取得した情報を所定のサッシに対する加工制御情報として出力する手段を備え、施工会社に、受信したサッシ施工発注情報を防犯センサメーカに送信する手段を備えるとともに、受信したサッシ施工発注情報を基に防犯センサメーカのデータベースから防犯センサに関する情報を取得する手段を備える。【選択図】図１
2010244155.tif 000002
【特許請求の範囲】
【請求項１】
サッシメーカと防犯センサメーカに、サッシの種類毎に当該種類のサッシに取付けられる防犯センサの種類、当該種類の防犯センサの仕様、当該サッシに対する加工条件等のデータを対応付けしたテーブルを、サッシメーカと防犯センサメーカに共通なデータとして格納するデータベースを備え、
ゼネコンからサッシメーカに公衆電気通信網を介してサッシの種類を指定してサッシ発注情報を送信する手段を設けるとともに、ゼネコンから施工会社に公衆電気通信網を介して所定のサッシに取り付けるべき防犯センサの種類を指定してサッシ施工発注情報を送信する手段を設け、
サッシメーカには、受信したサッシ発注情報を基にデータベースのテーブルから、指定された種類のサッシに対応する防犯センサの種類、仕様、サッシに対する加工条件のデータを取得する手段を備えるとともに、取得たデータを所定のサッシに対する加工制御情報として出力する手段を備え、
施工会社には、ゼネコンから受信したサッシ施工発注情報を防犯センサメーカに送信する手段を備えるとともに、受信したサッシ施工発注情報を基に防犯センサメーカのデータベースのテーブルから、指定された種類の防犯センサの仕様、サッシの種類、そのサッシに対する前記防犯センサの取付位置及び加工条件のデータを取得する手段を備えて構成されていることを特徴とする防犯センサ付きサッシの発注・受注・納品システム。
【請求項２】
請求項１に記載の防犯センサ付きサッシの発注・受注・納品システムにおいて、サッシメーカ及び施工会社には、それぞれがデータベースから取得したデータを照合し、照合結果を互いに他に送信する手段を備え、サッシメーカに、データ照合結果が一致の時は先に取得たデータを所定のサッシに対する加工制御情報として加工機に出力する手段を備えたことを特徴する防犯センサ付きサッシの発注・受注・納品システム。
【発明の詳細な説明】
【技術分野】
【０００１】
本発明は、建設業者がサッシメーカには所定のサッシを発注し、サッシ施工業者には前記サッシをこれに所定の防犯センサを付加して所定の建築物に取付ける施工を発注し、サッシメーカは受注した所定のサッシに所定の防犯センサの取付が可能なように加工した後サッシ施工業者に納品するシステムに関する。
【背景技術】
【０００２】
近年、マンション等の集合住宅には、防犯センサ付きサッシが取付けられる例が多くなってきた。サッシに取り付けられる防犯センサは、障子に固着されるマグネットと窓枠の縦枠や上枠に固着される検知器とからなり、障子が開けられてマグネットが検知器の検知範囲から離れると、検知器が開扉検知信号を出力するものである。サッシには多数の種類があり、また、サッシに取り付けられる防犯センサにも多数の種類がある。
【０００３】
従来、建設業者（ゼネコン）は、自己が建設する集合住宅に防犯センサ付きサッシを取り付ける場合は、図７に概念的に示すように、ゼネコンＡからサッシメーカＢにサッシの種類を指定してサッシを発注（イ）し、ゼネコンＡから施工会社Ｃにそのサッシに指定した種類の防犯センサを指定位置に付加して前記集合住宅に取付けるよう施工を発注（ロ）している。
受注した施工会社Ｃは、指定された種類の防犯センサを防犯センサメーカＤに発注（ハ）し、防犯センサメーカＤから防犯センサの納品を受けると共に、その防犯センサの種類、構造、検知範囲等を記載した仕様書を受け取る（ニ）。
施工会社Ｃは、その受注した防犯センサの仕様と取付位置に関する情報に基づいてサッシに対する指定された防犯センサの取付用孔及び配線用孔の加工位置等（加工条件）を定め、その加工条件をサッシメーカＢに通知する（ホ）。
受注したサッシメーカＢは、指定された種類のサッシに施工会社Ｃから提供された加工条件に従って所定位置に防犯センサ取付用孔及び配線用孔を加工して、所定の防犯センサの取付が可能になったサッシを施工会社Ｃに納品する（ヘ）。
施工会社Ｃは納品されたサッシに所定の防犯センサを付加して、所定の防犯センサ付きサッシを所定の集合住宅に取付けている。
【先行技術文献】
【特許文献】
【０００４】
【特許文献１】特になし
【発明の概要】
【発明が解決しようとする課題】
【０００５】
上述した従来の方法においては、施工会社Ｃは防犯センサメーカＤから防犯センサの仕様を受け取り、サッシメーカＢに対して取付けるべき防犯センサの仕様と加工条件を通知して、防犯センサ取付に必要な加工を依頼するが、次のように問題点があった。
すなわち、第１に、加工条件が各施工会社の発注ごとに異なるため、サッシメーカＢはその都度、加工ラインを止め、加工条件を設定し直して指定された加工をしていたので、手間と時間がかかった。
第２に、サッシの種類によってはその加工条件がサッシの重要な機能、例えば、障子の開閉機能、開閉時の緩衝機能、気密性及び水密性を損なう虞があるため、指定された位置に加工できない場合がある。その場合は、指定された位置の加工できない旨をサッシメーカＢからゼネコンＡを経て施工会社Ｃに連絡し、施工会社Ｃは加工条件の代案をゼネコンＡを経て再びサッシメーカＢに連絡する。その代案も採用不可能な場合は、同様の往復連絡を採用可能なものが決まるまで、加工条件に関して複数回の電話等による連絡を必要とすることがあり、情報交換が非常に煩雑で時間を要したり、発注から指定されたサッシの納品まで日数が掛かかった。
【０００６】
第３に、サッシメーカは、加工を終了したサッシを加工条件が異なるものごとに管理する必要があるので、加工済みサッシの管理が非常に繁雑であった。
【０００７】
本発明は、上記の実情に鑑みてなされたものであり、発注ごとに加工条件が異なることなく、また、発注者と受注者間の煩雑な情報交換を要せず、さらに、種類が同じサッシと防犯センサの組合わせに対しては加工済みサッシの管理が容易にできる防犯センサ付きサッシの発注・受注・納品システムを提供することを目的としている。
【課題を解決するための手段】
【０００８】
上記目的は、サッシメーカと防犯センサメーカに、サッシの種類毎に当該種類のサッシに取付けられる防犯センサの種類、当該種類の防犯センサの仕様、当該サッシに対する加工条件等のデータを対応付けしたテーブルを、サッシメーカと防犯センサメーカに共通なデータとして格納するデータベースを備え、
ゼネコンからサッシメーカに公衆電気通信網を介してサッシの種類を指定してサッシ発注情報を送信する手段を設けるとともに、ゼネコンから施工会社に公衆電気通信網を介して所定のサッシに取り付けるべき防犯センサの種類を指定してサッシ施工発注情報を送信する手段を設け、
サッシメーカには、受信したサッシ発注情報を基にデータベースのテーブルから、指定された種類のサッシに対応する防犯センサの種類、仕様、サッシに対する加工条件のデータを取得する手段を備えるとともに、取得たデータを所定のサッシに対する加工制御情報として出力する手段を備え、
施工会社には、ゼネコンから受信したサッシ施工発注情報を防犯センサメーカに送信する手段を備えるとともに、受信したサッシ施工発注情報を基に防犯センサメーカのデータベースのテーブルから、指定された種類の防犯センサの仕様、サッシの種類、そのサッシに対する前記防犯センサの取付位置及び加工条件のデータを取得する手段を備えて、
防犯センサ付きサッシの発注・受注・納品システムを構成することにより、達成することが可能である（請求項１）。
【０００９】
上記構成に対して、サッシメーカ及び施工会社には、それぞれがデータベースから取得したデータを照合し、照合結果を互いに他に送信する手段を備え、サッシメーカに、データ照合結果が一致の時は先に取得たデータを所定のサッシに対する加工制御情報として加工機に出力する手段を備えることが望ましい（請求項２）。
【００１０】
上記構成の防犯センサ付きサッシの発注・受注・納品システムにおいては、ゼネコンからサッシメーカに公衆電気通信網を介してサッシの種類を指定してサッシ発注情報を送信すると共に、ゼネコンから施工会社に公衆電気通信網を介して所定サッシに取り付けるべき防犯センサの種類を指定してサッシ施工発注情報を送信すると、サッシメーカは受信したサッシ発注情報を基にデータベースのテーブルから指定されたサッシ種類に対応する防犯センサに関するデータ（種類、仕様、加工条件等）を取得し、施工会社は受信したサッシ施工発注情報を基に防犯センサメーカに所定の防犯センサを発注するとともに、サッシ施工発注情報を基にデータベースのテーブルから指定された防犯センサに対応するサッシに関するデータ（種類、仕様、加工条件等）を取得する。
サッシメーカは、取得したデータを加工制御情報として加工機に出力し、所定の加工を行う。すなわち、同じ種類の防犯センサを取付ける同じ種類のサッシに対する加工条件を単一化したので、施工会社からの発注ごとに加工条件が異なることがなくなる。そして、所定の加工をした所定の種類のサッシを当該施工会社に納品する。施工会社は納品されたサッシの所定位置に防犯センサメーカから納品された防犯センサを取付けて、受注した防犯センサ付きサッシを指定された建築物に取り付ける。
【００１１】
サッシメーカと施工会社との間で、それぞれデータベースから取得したデータを相互に照合する機能を備えた場合は、照合結果が一致のときに、サッシメーカは先に取得したデータ（加工条件）を加工制御情報として出力する。加工制御情報は加工機に入力しても良い。施工会社は照合結果が一致の場合は、サッシメーカから納品されたサッシの所定位置に防犯センサメーカから納品された防犯センサを取付ける。
【発明の効果】
【００１２】
本発明によれば、発注ごとに加工条件が異なることがないので、サッシメーカは同じ種類のサッシと防犯センサの組合わせについては、加工ラインを継続したまま所定の加工を行うことができるため、加工効率が向上し、加工済みサッシの管理も簡単になる。さらに、ゼネコンはサッシメーカと施工会社に発注情報を送信するだけで済み、その後のサッシメーカと施工会社間の情報連絡に煩わされることがない。サッシメーカは受信した発注情報を基に防犯センサメーカと共通なデータベースから指定されたサッシに対応する防犯センサに関する情報（種類、仕様、加工条件等）を確実に取得することができるので、サッシメーカと施工会社間で煩雑な情報交換を行う必要がなく、指定されたサッシに対して所定の防犯センサために適切な位置に加工をして納品することができる。従って、受注から納品までの期間を大幅に短縮することができる。
【００１３】
また、サッシメーカと施工会社とに、それぞれデータベースから取得したデータの相互照合機能を備えた場合は、サッシメーカは受注情報の照合結果が一致したことに基づき所定のサッシに所定の加工をするので、適切な位置に能率良く加工をすることができ、施工会社は、受注情報の照合結果が一致したことに基づき、防犯センサメーカから納品された正しい防犯センサをサッシメーカから納品された正しい位置に加工された所定のサッシに取付けることができる。
【図面の簡単な説明】
【００１４】
【図１】本発明の実施の形態を示すブロック図である。
【図２】図１のデータベースに記憶されるデータの一例を示す図である。
【図３】ゼネコンのデータ処理装置の作用を説明するフローチャートである。
【図４】サッシメーカのデータ処理装置の作用を説明するフローチャートである。
【図５】施工会社のデータ処理装置の作用を説明するフローチャートである。
【図６】防犯センサメーカのデータ処理装置の作用を説明するフローチャートである。
【図７】従来の防犯センサ付きサッシの発注・受注・納品の方法を説明する図である。
【発明を実施するための形態】
【００１５】
次に、本発明の実施の形態について、図１及び図２を参照しながら説明する。
本発明を実施するために、ゼネコンＡにおいては、データ処理装置を構成するＣＰＵ１１に接続された入力部１２を操作して、表示部１３を見ながらサッシメーカＢに対するサッシ発注情報を作成し、また、施工会社Ｃに対する防犯センサ発注情報を作成して、これらの情報をそれぞれ送信先として指定したサッシメーカＢ又は施工会社Ｃに宛てて通信部１３より公衆電気通信回線Ｅへ送出させることができるように構成されている。図示を省略してあるが、ゼネコンＡには、ＣＰＵ１１による処理対象データ及び処理済みデータを一時格納する記憶部も備えられている。
【００１６】
サッシメーカＢは、図示の例では、管理部門Ｂ１と、設計部門Ｂ２とに分けられている。管理部門Ｂ１には、データ処理装置を構成する少なくとも情報処理をするためのＣＰＵ２１と、いずれもＣＰＵ２１に接続された入力部２２、表示部２３、通信部２４、データベース（ＤＢ）２５が設けられている。通信部２４はインターネット等の公衆電気通信回線Ｅに接続されている。図示を省略してあるが、ＣＰＵ２１による処理対象データ及び処理済みデータを一時格納する記憶部も備えられている。
【００１７】
入力部２２は、後述するように、施工会社Ｃとの間の受注情報照合の際に用いられ、また、照合結果が一致の場合に、受注情報及び指定されたサッシの種類とそのサッシに取り付けるべき防犯センサに関する所定のデータを設計部門Ｂ２に伝送する際に用いられる。表示部２３は、入力する又は受信する情報を表示するために用いられる。通信部２４は、ＣＰＵ２１の制御の元でインターネットＥを介して通信するため及び設計部門Ｂ２に対して情報を伝送するために用いられる。データベース２５については、後に詳述する。
【００１８】
設計部門Ｂ２には、情報処理及び制御情報出力をするためのＣＰＵ２６と、加工機２７と、出力部２８と、通信部２９とが設けられている。図示を省略してあるが、ＣＰＵ２６による処理対象データを一時格納する記憶部も備えられている。通信部２９は、管理部門の通信部２３と共に構内通信網を構成し、管理部門Ｂ１から指定されたサッシの種類とそのサッシに取付けるべき防犯センサに関する所定のデータ（以下、「所定のサッシ情報及び防犯センサ情報」という場合がある。）を受信するために用いられる。
加工機２７は、ＣＰＵ２６が上記データに基づいて出力する制御信号により駆動され、加工対象物であるサッシの所定位置に所定の防犯センサを取り付けるための取付孔及び配線孔を加工することができる。
【００１９】
出力部２８は、ＣＰＵ２６の制御の元で管理部門Ｂ１から受信した上記所定のサッシ情報及び防犯センサ情報を印字出力し、もしくは加工機２７に対する制御信号を出力するものである。出力部２８が設けられる場合は、加工機２７は必ずしもＣＰＵ２６に接続される必要はない。加工機２７は別系統のＣＰＵにより制御されるものとし、出力部２８により印字出力されたデータに基づいてマンパワーで駆動してもよいし、又は、出力部２８が出力する制御信号を加工機２７に入力するようにしても良い。
【００２０】
施工会社Ｃには、データ処理装置を構成するＣＰＵ３１と、いずれもＣＰＵ３１に接続された入力部３２と、表示部３３と、通信部３４とが備えられている。図示を省略してあるが、ＣＰＵ２３による処理対象データ又は処理済みデータを一時格納する記憶部も備えられている。入力部３２は、後述されるように、施工会社ＣがゼネコンＡから受信するサッシ施工受注情報に基づいて防犯センサメーカＤに対してそのサッシ施工受注情報に含まれる所定のサッシ及び防犯センサについての詳細情報（所定のサッシ情報及び防犯センサ情報）の提供を求める際に用いられる。ＣＰＵ３１は、各部を制御して、通信部３４を介して入力する情報を処理し、処理した後の情報を表示部３３に表示する。例えば、サッシメーカＢの受注情報と施工会社Ｃの受注情報の照合結果を表示する。
【００２１】
防犯センサメーカＤには、データ処理装置を構成するＣＰＵ４１と、いずれもＣＰＵ４１に接続された入力部４２と、表示部４３と、通信部４４と、データベース４５とが備えられている。通信部４４は公衆電気通信回線Ｅに接続されている。
【００２２】
サッシメーカＢと防犯センサメーカＤは、協定によりそれぞれサッシメーカＢの製造販売する全種類のサッシに関する情報及び防犯センサメーカＤが製造販売する全種の防犯センサに関する情報を出し合い、図２に例示するように、サッシメーカＢの全種類のサッシの製品番号と、各種類のサッシに対して取付可能な防犯センサメーカＤの防犯センサの製品番号、仕様及び当該防犯センサのサッシに対する取付位置とをそれぞれ対応付けしたテーブルを作成し、そのテーブルを上記データベース２４及び４５に格納させてある。
サッシの種類に増減・変更があった場合又は防犯センサの種類、仕様や取付位置などに増減・変更があった場合は、テーブルが適宜更新される。こうして、サッシ情報及び防犯センサ情報がサッシメーカＢと防犯センサメーカＤに共有され、管理されている。
【００２３】
上記のように構成されている本発明に係るシステムを用いて行われる所定の防犯センサ付きサッシの発注から納品までのプロセスを、図３〜図６を参照しながら説明する。
【００２４】
１．ゼネコンＡからサッシメーカＢ及び施工会社Ｃへの発注
ゼネコンＡは、入力部１２を操作してサッシメーカＢが製造販売するサッシの中の種類を指定してサッシ発注情報を作成し、そのサッシ発注情報を通信部１３より公衆電気通信網Ｅを介してサッシメーカＢに送信する（図３のＳ１１，Ｓ１２，Ｓ１３。Ｓはステップ番号。以下、同じ。）。
また、ゼネコンＡは、入力部１２を操作してサッシ及び防犯センサの種類を指定して防犯センサ付きサッシを特定の建築現場に取付けることを内容とするサッシ施工発注情報を作成し、そのサッシ施工発注情報を通信部１３より公衆電気通信網Ｅを介して施工会社Ｃに送信する（図３のＳ１４，Ｓ１５，Ｓ１６）。サッシの種類はサッシメーカＢに発注した所定のサッシであり、防犯センサの種類は防犯センサメーカＤの製造販売するもの中から指定される。
【００２５】
２．サッシメーカＢにおける発注情報の処理
サッシメーカＢの管理部門Ｂ１のＣＰＵ２１は、受信したサッシ発注情報を一時記憶部に保存して表示部２３に表示するとともに、指定されているサッシの種類（製品番号）に基づいてデータベース２５を検索し、データベース２５に格納されているテーブルをルックアップして、その製品番号に対応付けして記録されている防犯センサの種類、仕様、サッシに対する取付位置（加工条件情報）を読み出し、一時記憶部に保存する（図４のＳ２１，Ｓ２２）。
【００２６】
続いて、サッシメーカＢの管理部門Ｂ１のＣＰＵ２１は、受信したサッシ発注情報と、このサッシ発注情報に対応する加工条件情報を送信部２４より公衆電気通信網Ｅを介して、施工会社Ｃに発注情報照合のために送信する（図４のＳ２３）。施工会社Ｃに送信することに代えて、施工会社Ｃに対して施工会社ＣがゼネコンＡから受信した発注情報を照合のためにサッシメーカＢに送信することを要求する信号を送信し、サッシメーカＢにおいてＣＰＵ２１により施工会社Ｃから送信されてきた発注情報と照合するようにしても良い。
【００２７】
３．施工会社Ｃにおける発注情報の処理
施工会社ＣのＣＰＵ３１は、ゼネコンＡから受信したサッシ施工発注情報を一時記憶部に保存すると共に、入力部３２から入力される指令に基づき又は自動的に、通信部４４及びインターネットＥを介して防犯センサメーカＤにサッシ施工発注情報に含まれる所定のサッシ情報及び防犯センサ情報（製品番号）を送信して、防犯センサメーカＤに対して同製品番号の防犯センサを発注する（図５のＳ３１，Ｓ３２）とともに、防犯センサメーカＤに対して当該サッシ及び当該防犯センサに関する詳細情報（加工条件情報）の提供を要求する（図５のＳ３３）。
【００２８】
４．防犯センサメーカＤにおける情報処理
防犯センサメーカＤのＣＰＵ４１は、施工会社Ｃからの詳細情報要求に基づいて、受信した情報に含まれるサッシ又は防犯センサの製品番号に基づいてデータベース４５を検索し、データベース４５に格納されているテーブルをルックアップして、その製品番号に対応付けして記録されている防犯センサの種類、仕様及びサッシに対する取付位置（加工条件情報）を読み出し、これを通信部４４及びインターネットＥを介して施工会社Ｃに伝送する（図６のＳ４２，Ｓ４３，Ｓ４４）。
【００２９】
５．サッシメーカＢと施工会社Ｃ間における受注内容の照合
施工会社Ｃは、防犯センサメーカＤから受信した加工条件情報を一時記憶部に保存し、サッシメーカＢから照合のために受信した発注情報と照合する（図５のＳ３４）。その照合の結果は、サッシメーカＢに送信される（図５のＳ３６）。又は、防犯センサメーカＤから受信した加工条件情報をサッシメーカＢが自己のデータベースから取得した加工条件情報と照合するためにサッシメーカＢに送信する。
【００３０】
６．サッシメーカＢによるサッシ加工
サッシメーカＢによる照合結果が一致であるとき（図４のＳ２４でＹ）、又は施工会社Ｃから受信した照合結果が一致であることの通知を受けたとき（図５のＳ３４でＹ、Ｓ３６）は、管理部門Ｂ１のＣＰＵ２１は、その加工条件情報を通信部２４より設計部門Ｂ２の通信部２９に伝送する。設計部門Ｂ２のＣＰＵ２６は、受信した加工条件情報を加工機２７に制御情報として出力する（図４のＳ２７）。又は、加工条件情報を出力部２８に与える。出力部２８は制御機能を備えた加工機２７に加工条件情報を出力する。こうして、加工機２７は、加工条件情報に従ってサッシの所定位置に指定された防犯センサを取り付けるための孔及び配線用孔を開ける。上記のように、指定された種類のサッシに指定された防犯センサを取付ける場合は、いずれの発注に対しても１種類の加工条件に従って加工される。従って、加工ラインの停止、変更を必要としないので、加工効率が格段に向上する。サッシメーカＢは、指定された加工条件通りの加工を行ったサッシを短期間の内に施工会社Ｃに向けて出荷・納品することができる。
【００３１】
７．施工会社Ｃによる施工
施工会社Ｃは、サッシメーカＢから情報照合の結果が一致である旨の通知を受信した後、又は、自己から情報照合の結果が一致である旨の通知をサッシメーカＢに送信（図５のＳ３６）した後、サッシメーカＢから納品された所定のサッシに防犯センサメーカＤから納品された所定の防犯センサを施工条件に従って取付け（図５のＳ３７，Ｓ３８，Ｓ３９）、その防犯センサ付きサッシを指定された現場の建築物に取付ける（図５のＳ３１０）こととなる。なお、図５のＳ３７−Ｓ３１０のステップは、人的作業である。
【００３２】
図１に示した実施の形態は、一つのサッシメーカを管理部門Ｂ１と設計部門Ｂ２とに分割して構成したが、管理部門Ｂ１と設計部門Ｂ２とを一つに統合して、図１のＣＰＵ２１に加工機２７と出力部２８を接続し、ＣＰＵ２６及び通信部２９を省略することもできる。
また、図１の実施の形態は、施工会社Ｃと防犯センサメーカＤを独立別個の経営主体としたが、図１のサッシメーカＢと同様に、施工会社Ｃと防犯センサメーカＤを一つに統合し、防犯センサメーカの中に図１の防犯センサメーカＤに相当する製造部門又は管理部門と図１の施工会社Ｃに相当する施工部門とを含む構成とすることもできる。この場合は、通信部３４と４４に構内通信網を使用することができる。
【符号の説明】
【００３３】
Ａ    ゼネコン（発注者）
Ｂ    サッシメーカ（受注者）
Ｃ    施工会社（受注者）
Ｄ    防犯センサメーカ
Ｅ    公衆電気通信網
【図１】
2010244155.tif 000003
【図２】
2010244155.tif 000004
【図３】
2010244155.tif 000005
【図４】
2010244155.tif 000006
【図５】
2010244155.tif 000007
【図６】
2010244155.tif 000008
【図７】
2010244155.tif 000009